(57)【要約】【課題】コストを大幅に増加させずにデータ保存の安全性を高める。【解決手段】データ記憶装置１０１を複数のボリュームＨ１〜Ｈ６に分割し、データを保存する時にデータを保存しうる空きボリュームが２つ存在するか又は１つしか存在しないかを判定し、空きボリュームが２つ存在する場合はデータを両ボリュームに２重に保存し、空きボリュームが１つしか存在しない場合は該空きボリュームにのみデータを保存する。【効果】空き領域または空きボリュームを有効に活用することによりコストを大幅に増加させずにデータ保存の安全性を高めることが出来る。【選択図】  図３
2004310308.tif 000002
【特許請求の範囲】
【請求項１】
データ記憶装置にデータを保存する時にデータを２重に保存しうる空き領域が存在するか又はデータを１重に保存しうる空き領域しか存在しないかを判定し、データを２重に保存しうる空き領域が存在する場合はデータを２重に保存し、データを１重に保存しうる空き領域しか存在しない場合はデータを１重に保存することを特徴とするデータ保存方法。
【請求項２】
請求項１に記載のデータ保存方法において、同じデータを重複して保存している２つの領域の一方を空き領域として扱うことを特徴とするデータ保存方法。
【請求項３】
データ記憶装置を複数のボリュームに分割し、データを保存する時にデータを保存しうる空きボリュームが２つ存在するか又は１つしか存在しないかを判定し、空きボリュームが２つ存在する場合はデータを両ボリュームに２重に保存し、空きボリュームが１つしか存在しない場合は該空きボリュームにのみデータを保存することを特徴とするデータ保存方法。
【請求項４】
請求項３に記載のデータ保存方法において、同じデータを重複して保存している２つのボリュームの一方を空きボリュームとして扱うことを特徴とするデータ保存方法。
【請求項５】
データ記憶装置と、前記データ記憶装置にデータを保存する時にデータを２重に保存しうる空き領域が存在するか又はデータを１重に保存しうる空き領域しか存在しないかを判定する空き領域判定手段と、データを２重に保存しうる空き領域が存在する場合はデータを２重に保存すると共にデータを１重に保存しうる空き領域しか存在しない場合はデータを１重に保存するデータ保存実行手段とを具備したことを特徴とするデータ保存装置。
【請求項６】
請求項１に記載のデータ保存装置において、前記空き領域判定手段および前記データ保存実行手段は、同じデータを重複して保存している２つの領域の一方を空き領域として扱うことを特徴とするデータ保存装置。
【請求項７】
複数のボリュームに分割されたデータ記憶装置と、データを保存する時にデータを保存しうる空きボリュームが２つ存在するか又は１つしか存在しないかを判定する空きボリューム判定手段と、空きボリュームが２つ存在する場合はデータを両ボリュームに２重に保存すると共に空きボリュームが１つしか存在しない場合は該空きボリュームにのみデータを保存するデータ保存実行手段とを具備したことを特徴とするデータ保存装置。
【請求項８】
請求項７に記載のデータ保存装置において、前記空きボリューム判定手段および前記データ保存実行手段は、同じデータを重複して保存している２つのボリュームの一方を空きボリュームとして扱うことを特徴とするデータ保存装置。
【発明の詳細な説明】
【０００１】
【発明の属する技術分野】
本発明は、データ保存方法およびデータ保存装置に関し、さらに詳しくは、空き領域または空きボリュームを有効に活用することによりコストを大幅に増加させずにデータ保存の安全性を高めたデータ保存方法およびデータ保存装置に関する。
【０００２】
【従来の技術】
従来、ＲＡＩＤ（Ｒｅｄａｎｄａｎｃｙ  Ａｒｒａｙ  ｏｆ  Ｉｎｅｘｐｅｎｓｉｖｅ  Ｄｉｓｋｓ）を構成するディスクアレイ装置とバックアップ装置とを備えたデータ保存装置が提案されている（例えば、特許文献１参照。）。
【０００３】
【特許文献１】
特開平１０−１１２２８号公報
【０００４】
【発明が解決しようとする課題】
上記従来の記憶装置システムでは、ディスクアレイ装置が故障した時に、ディスクアレイ装置に保存しているデータをバックアップ装置に退避させることでデータ保存の安全性を高めている。
しかし、ディスクアレイ装置とは別個にバックアップ装置を備えなければならず、コストが大幅に増加する問題点がある。
【０００５】
他方、Ｘ線ＣＴ（Ｃｏｍｐｕｔｅｒ  Ｔｏｍｏｇｒａｐｈｙ）装置やＭＲ（Ｍａｇｎｅｔｉｃ  Ｒｅｓｏｎａｎｃｅ）装置などの医用画像診断装置の普及に伴い、例えば４年分の医用画像を保存可能な大容量の医用画像保存装置が設置されるようになって来ている。
しかし、例えば４年分の医用画像を保存可能な大容量の医用画像保存装置では、１年目は７５％が空き領域になっており、２年目は５０％が空き領域になっており、３年目は２５％が空き領域になっており、無駄に空き容量になっている期間が長い問題点がある。
【０００６】
そこで、本発明の目的は、空き領域または空きボリュームを有効に活用することによりコストを大幅に増加させずにデータ保存の安全性を高めたデータ保存方法およびデータ保存装置を提供することにある。
【０００７】
【課題を解決するための手段】
第１の観点では、本発明は、データ記憶装置にデータを保存する時にデータを２重に保存しうる空き領域が存在するか又はデータを１重に保存しうる空き領域しか存在しないかを判定し、データを２重に保存しうる空き領域が存在する場合はデータを２重に保存し、データを１重に保存しうる空き領域しか存在しない場合はデータを１重に保存することを特徴とするデータ保存方法を提供する。
上記第１の観点によるデータ保存方法では、データを２重に保存しうる空き領域が存在する場合はデータを２重に保存するから、データ保存の安全性を高めることが出来る。そして、空き領域を有効に活用し、別個のバックアップ装置を必要としないから、コストを大幅に増加させることはない。なお、データを１重に保存しうる空き領域しか存在しなくなったら、データを１重にしか保存しないから、データ保存の安全性を高めることは出来なくなる。
【０００８】
第２の観点では、本発明は、上記構成のデータ保存方法において、同じデータを重複して保存している２つの領域の一方を空き領域として扱うことを特徴とするデータ保存方法を提供する。
上記第２の観点によるデータ保存方法では、同じデータを重複して保存している２つの領域の一方を空き領域として扱うから、最終的にはデータを重複無く保存することが出来る。
【０００９】
第３の観点では、本発明は、データ記憶装置を複数のボリュームに分割し、データを保存する時にデータを保存しうる空きボリュームが２つ存在するか又は１つしか存在しないかを判定し、空きボリュームが２つ存在する場合はデータを両ボリュームに２重に保存し、空きボリュームが１つしか存在しない場合は該空きボリュームにのみデータを保存することを特徴とするデータ保存方法を提供する。
上記第３の観点によるデータ保存方法では、空きボリュームが２つ存在する場合はデータを両ボリュームに重複して保存するから、データ保存の安全性を高めることが出来る。そして、空きボリュームを有効に活用し、別個のバックアップ装置を必要としないから、コストを大幅に増加させることはない。なお、空きボリュームが１つしか存在しなくなったら、データを１つのボリュームにしか保存しないから、データ保存の安全性を高めることは出来なくなる。
【００１０】
第４の観点では、本発明は、上記構成のデータ保存方法において、同じデータを重複して保存している２つのボリュームの一方を空きボリュームとして扱うことを特徴とするデータ保存方法を提供する。
上記第４の観点によるデータ保存方法では、同じデータを重複して保存している２つのボリュームの一方を空きボリュームとして扱うから、最終的にはデータを重複無く保存することが出来る。
【００１１】
第５の観点では、本発明は、データ記憶装置と、前記データ記憶装置にデータを保存する時にデータを２重に保存しうる空き領域が存在するか又はデータを１重に保存しうる空き領域しか存在しないかを判定する空き領域判定手段と、データを２重に保存しうる空き領域が存在する場合はデータを２重に保存すると共にデータを１重に保存しうる空き領域しか存在しない場合はデータを１重に保存するデータ保存実行手段とを具備したことを特徴とするデータ保存装置を提供する。
上記第５の観点によるデータ保存装置では、前記第１の観点によるデータ保存方法を好適に実施できる。
【００１２】
第６の観点では、本発明は、上記構成のデータ保存装置において、前記空き領域判定手段および前記データ保存実行手段は、同じデータを重複して保存している２つの領域の一方を空き領域として扱うことを特徴とするデータ保存装置を提供する。
上記第６の観点によるデータ保存装置では、前記第２の観点によるデータ保存方法を好適に実施できる。
【００１３】
第７の観点では、本発明は、複数のボリュームに分割されたデータ記憶装置と、データを保存する時にデータを保存しうる空きボリュームが２つ存在するか又は１つしか存在しないかを判定する空きボリューム判定手段と、空きボリュームが２つ存在する場合はデータを両ボリュームに２重に保存すると共に空きボリュームが１つしか存在しない場合は該空きボリュームにのみデータを保存するデータ保存実行手段とを具備したことを特徴とするデータ保存装置を提供する。
上記第７の観点によるデータ保存装置では、前記第３の観点によるデータ保存方法を好適に実施できる。
【００１４】
第８の観点では、本発明は、上記構成のデータ保存装置において、前記空きボリューム判定手段および前記データ保存実行手段は、同じデータを重複して保存している２つのボリュームの一方を空きボリュームとして扱うことを特徴とするデータ保存装置を提供する。
上記第８の観点によるデータ保存装置では、前記第４の観点によるデータ保存方法を好適に実施できる。
【００１５】
【発明の実施の形態】
以下、図に示す実施の形態により本発明をさらに詳細に説明する。なお、これにより本発明が限定されるものではない。
【００１６】
図１は、本発明の一実施形態にかかる医用画像保存装置１００の構成図である。
この医用画像保存装置１００は、第１ボリュームＨ１〜第６ボリュームＨ６に分割されたデータ記憶装置１０１と、図示せぬ医用画像診断装置との間で医用画像の送受信を行う主制御装置ＭＣと、主制御装置ＭＣとの間で医用画像の送受信を行うと共に第１ボリュームＨ１〜第６ボリュームＨ６のそれぞれについて「ＲＡＩＤ４」の制御を行う第１副制御装置ＳＣ１〜ＳＣ６とを具備して構成されている。
【００１７】
第１ボリュームＨ１は、医用画像データを分散して記憶する４台のハードディスクｈ１，１〜ｈ１，４  とパリティを記憶する１台のハードディスクｈ１，５  とから構成される。第２ボリュームＨ２〜第６ボリュームＨ６も、第１ボリュームＨ１と同様の構成である。
【００１８】
図２は、主制御装置ＭＣの本発明に係る動作を示すフロー図である。
【００１９】
ステップＳ１では、医用画像診断装置より医用画像を受信する。
【００２０】
ステップＳ２では、空きボリュームが２つあるか判定し、２つあればステップＳ３へ進み、なければステップＳ４へ進む。最初は、全ボリュームＨ１〜Ｈ６が空きボリュームなのでステップＳ３へ進む。
【００２１】
ステップＳ３では、図３に示すように、２つの空きボリュームＨ１，Ｈ４に対応する副制御装置ＳＣ１，ＳＣ４に医用画像ａを重複して送り、副制御装置ＳＣ１，ＳＣ４はそれぞれ医用画像ａを「ＲＡＩＤ４」でボリュームＨ１，Ｈ４に重複保存する。そして、処理を終了する。
【００２２】
ステップＳ１〜Ｓ３を繰り返してボリュームＨ１，Ｈ４が一杯になった後、医用画像ｂを受信すると、次のステップＳ３では、図４に示すように、２つの空きボリュームＨ２，Ｈ５に対応する副制御装置ＳＣ２，ＳＣ５に医用画像ｂを重複して送り、副制御装置ＳＣ２，ＳＣ５はそれぞれ医用画像ｂを「ＲＡＩＤ４」でボリュームＨ２，Ｈ５に重複保存する。そして、処理を終了する。
【００２３】
さらに、ステップＳ１〜Ｓ３を繰り返してボリュームＨ２，Ｈ５も一杯になった後、医用画像ｃを受信すると、次のステップＳ３では、図５に示すように、２つの空きボリュームＨ３，Ｈ６に対応する副制御装置ＳＣ３，ＳＣ６に医用画像ｃを重複して送り、副制御装置ＳＣ３，ＳＣ６はそれぞれ医用画像ｃを「ＲＡＩＤ４」でボリュームＨ３，Ｈ６に重複保存する。そして、処理を終了する。
【００２４】
以上の段階では、医用画像データＡ，Ｂ，Ｃが重複して保存されているため、データ保存の安全性を高めることが出来る。そして、空きボリュームを有効に活用し、別個のバックアップ装置を必要としないから、コストを大幅に増加させることはない。
なお、重複保存されている医用画像を読み出すとき、主制御装置ＭＣは、一方のボリュームの副制御装置にのみ読み出し要求を送る。
【００２５】
さらに、ステップＳ１〜Ｓ３を繰り返してボリュームＨ３，Ｈ６も一杯になった後、医用画像ｄを受信すると、次のステップＳ２では、空きボリュームがないからステップＳ４へ進む。
【００２６】
ステップＳ４では、医用画像を重複保存しているボリュームがあるか否かを判定し、あるならステップＳ５へ進み、ないならステップＳ６へ進む。ここでは、ボリュームＨ１とＨ４，Ｈ２とＨ５，Ｈ３とＨ６に重複保存しているため、ステップＳ５へ進む。
【００２７】
ステップＳ５では、最も古い重複データを保存しているボリュームの１つ、ここではボリュームＨ４を空きボリュームとする。そして、ステップＳ２に戻る。
【００２８】
戻ったステップＳ２では、空きボリュームがボリュームＨ４しかないからステップＳ４へ進む。
ステップＳ４では、ボリュームＨ２とＨ５，Ｈ３とＨ６に重複保存しているため、ステップＳ５へ進む。
ステップＳ５では、最も古い重複データを保存しているボリュームの１つ、ここではボリュームＨ５を空きボリュームとする。そして、ステップＳ２に戻る。
【００２９】
戻ったステップＳ２では、空きボリュームがボリュームＨ４，Ｈ５があるからステップＳ３へ進む。
ステップＳ３では、図６に示すように、２つの空きボリュームＨ４，Ｈ５に対応する副制御装置ＳＣ４，ＳＣ５に医用画像ｄを重複して送り、副制御装置ＳＣ４，ＳＣ５はそれぞれ医用画像ｄを「ＲＡＩＤ４」でボリュームＨ４，Ｈ５に重複保存する。そして、処理を終了する。
【００３０】
ボリュームＨ４，Ｈ５も一杯になった後、医用画像ｅを受信すると、次のステップＳ２では、空きボリュームがないからステップＳ４へ進む。
ステップＳ４では、ボリュームＨ３とＨ６，Ｈ４とＨ５に重複保存しているため、ステップＳ５へ進む。
ステップＳ５では、最も古い重複データを保存しているボリュームの１つ、ここではボリュームＨ６を空きボリュームとする。そして、ステップＳ２に戻る。
【００３１】
戻ったステップＳ２では、空きボリュームがボリュームＨ６しかないからステップＳ４へ進む。
ステップＳ４では、ボリュームＨ４とＨ５に重複保存しているため、ステップＳ５へ進む。
ステップＳ５では、最も古い重複データを保存しているボリュームの１つ、ここではボリュームＨ５を空きボリュームとする。そして、ステップＳ２に戻る。
【００３２】
戻ったステップＳ２では、空きボリュームがボリュームＨ５，Ｈ６があるからステップＳ３へ進む。
ステップＳ３では、図７に示すように、２つの空きボリュームＨ５，Ｈ６に対応する副制御装置ＳＣ５，ＳＣ６に医用画像ｅを重複して送り、副制御装置ＳＣ５，ＳＣ６はそれぞれ医用画像ｅを「ＲＡＩＤ４」でボリュームＨ５，Ｈ６に重複保存する。そして、処理を終了する。
【００３３】
ボリュームＨ５，Ｈ６も一杯になった後、医用画像ｆを受信すると、次のステップＳ２では、空きボリュームがないからステップＳ４へ進む。
ステップＳ４では、ボリュームＨ５とＨ６に重複保存しているため、ステップＳ５へ進む。
ステップＳ５では、最も古い重複データを保存しているボリュームの１つ、ここではボリュームＨ６を空きボリュームとする。そして、ステップＳ２に戻る。
【００３４】
戻ったステップＳ２では、空きボリュームがボリュームＨ６しかないからステップＳ４へ進む。
ステップＳ４では、重複保存しているボリュームがないため、ステップＳ６へ進む。
【００３５】
ステップＳ６では、空きボリュームがあればステップＳ７へ進み、なければステップＳ１０へ進む。ここでは、空きボリュームＨ６があるため、ステップＳ７へ進む。
ステップＳ７では、図８に示すように、空きボリュームＨ６に対応する副制御装置ＳＣ６に医用画像ｆを送り、副制御装置ＳＣ６は医用画像ｆを「ＲＡＩＤ４」でボリュームＨ６に保存する。そして、処理を終了する。
【００３６】
以上の医用画像保存装置１００によれば、空きボリュームが２つ存在する場合は医用画像データを両ボリュームに重複して保存するから、データ保存の安全性を高めることが出来る。そして、空きボリュームを有効に活用し、別個のバックアップ装置を必要としないから、コストを大幅に増加させることはない。
【００３７】
−他の実施形態−
記憶領域を複数の領域に分割し、それら領域をボリュームと見なせば、上記実施形態と同様に本発明を適用できる。
【００３８】
【発明の効果】
本発明のデータ保存方法およびデータ保存装置によれば、空き領域または空きボリュームを有効に活用することによりコストを大幅に増加させずにデータ保存の安全性を高めることが出来る。
【００３９】
【図面の簡単な説明】
【図１】本発明の一実施形態にかかる医用画像保存装置の構成図である。
【図２】本発明の一実施形態にかかる医用画像保存装置の主制御装置の動作を示すフロー図である。
【図３】第１ボリュームおよび第４ボリュームにデータを重複保存している状態を示す概念図である。
【図４】第２ボリュームおよび第５ボリュームにデータを重複保存している状態を示す概念図である。
【図５】第３ボリュームおよび第６ボリュームにデータを重複保存している状態を示す概念図である。
【図６】第４ボリュームおよび第５ボリュームにデータを重複保存している状態を示す概念図である。
【図７】第５ボリュームおよび第６ボリュームにデータを重複保存している状態を示す概念図である。
【図８】第６ボリュームにデータを保存している状態を示す概念図である。
【符号の説明】
Ｈ１〜Ｈ６            ボリューム
ＭＣ                  主制御装置
ＳＣ１〜ＳＣ６        副制御装置
１００                医用画像保存装置
１０１                データ記憶装置
【図１】
2004310308.tif 000003
【図２】
2004310308.tif 000004
【図３】
2004310308.tif 000005
【図４】
2004310308.tif 000006
【図５】
2004310308.tif 000007
【図６】
2004310308.tif 000008
【図７】
2004310308.tif 000009
【図８】
2004310308.tif 000010